【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
カルボキシ（Ｃ1〜Ｃ3）アルキルのアンヒドログルコース単位当たり０．２０〜１．２の置換度、
ヒドロキシルのアンヒドログルコース単位当たり０〜１．０の置換度、
Ｃ3〜Ｃ4エステルのアンヒドログルコース単位当たり０〜３．３０の置換度、そして
アセチルのアンヒドログルコース単位当たり０〜３．３０の置換度
の置換を含むアンヒドログルコース単位当たり３．０８〜３．５０の最大置換度
フェノール／テトラクロロエタンの６０／４０（重量／重量）溶液中で２５℃において測定された、０．０５〜０．１８ｄＬ／ｇのインヘレント粘度；
１，０００〜７，０００の数平均分子量（Ｍn）；
１，５００〜２３，０００の重量平均分子量；そして
１．２０〜７．０の多分散度
の性質を有するカルボキシ（Ｃ1〜Ｃ3）アルキルセルロースエステル。
【請求項２】
前記カルボキシ（Ｃ1〜Ｃ3）アルキルセルロースエステルがカルボキシメチルセルロースエステルであり、且つ前記Ｃ3〜Ｃ4エステルが０．０１〜０．６６の置換度でブチリルを含む請求項１に記載のカルボキシ（Ｃ1〜Ｃ3）アルキルセルロースエステル。
【請求項３】
前記カルボキシ（Ｃ1〜Ｃ3）アルキルセルロースエステルがカルボキシメチルセルロースエステルであり、且つ前記Ｃ3〜Ｃ4エステルが０．５８〜１．１５の置換度でブチリルを含む請求項１に記載のカルボキシ（Ｃ1〜Ｃ3）アルキルセルロースエステル。
【請求項４】
前記カルボキシ（Ｃ1〜Ｃ3）アルキルセルロースエステルがカルボキシメチルセルロースエステルであり、且つ前記Ｃ3〜Ｃ4エステルが１．００〜１．６９の置換度でブチリルを含む請求項１に記載のカルボキシ（Ｃ1〜Ｃ3）アルキルセルロースエステル。
【請求項５】
前記カルボキシ（Ｃ1〜Ｃ3）アルキルセルロースエステルがカルボキシメチルセルロースエステルであり、且つ前記Ｃ3〜Ｃ4エステルが１．４５〜２．２７の置換度でブチリルを含む請求項１に記載のカルボキシ（Ｃ1〜Ｃ3）アルキルセルロースエステル。
【請求項６】
前記カルボキシ（Ｃ1〜Ｃ3）アルキルセルロースエステルがカルボキシメチルセルロースエステルであり、且つ前記Ｃ3〜Ｃ4エステルが２．２０〜３．２５の置換度でブチリルを含む請求項１に記載のカルボキシ（Ｃ1〜Ｃ3）アルキルセルロースエステル。
【請求項７】
前記カルボキシ（Ｃ1〜Ｃ3）アルキルセルロースエステルがカルボキシメチルセルロースエステルであり、且つ前記Ｃ3〜Ｃ4エステルが０．０１〜０．６６の置換度でプロピオニルを含む請求項１に記載のカルボキシ（Ｃ1〜Ｃ3）アルキルセルロースエステル。
【請求項８】
前記カルボキシ（Ｃ1〜Ｃ3）アルキルセルロースエステルがカルボキシメチルセルロースエステルであり、且つ前記Ｃ3〜Ｃ4エステルが０．５８〜１．１５の置換度でプロピオニルを含む請求項１に記載のカルボキシ（Ｃ1〜Ｃ3）アルキルセルロースエステル。
【請求項９】
前記カルボキシ（Ｃ1〜Ｃ3）アルキルセルロースエステルがカルボキシメチルセルロースエステルであり、且つ前記Ｃ3〜Ｃ4エステルが１．００〜１．６９の置換度でプロピオニルを含む請求項１に記載のカルボキシ（Ｃ1〜Ｃ3）アルキルセルロースエステル。
【請求項１０】
前記カルボキシ（Ｃ1〜Ｃ3）アルキルセルロースエステルがカルボキシメチルセルロースエステルであり、且つ前記Ｃ3〜Ｃ4エステルが１．４５〜２．２７の置換度でプロピオニルを含む請求項１に記載のカルボキシ（Ｃ1〜Ｃ3）アルキルセルロースエステル。
【請求項１１】
前記カルボキシ（Ｃ1〜Ｃ3）アルキルセルロースエステルがカルボキシメチルセルロースエステルであり、且つアセチルのアンヒドログルコース単位当たりの置換度が１．９５〜２．６８である請求項１に記載のカルボキシ（Ｃ1〜Ｃ3）アルキルセルロースエステル。
【請求項１２】
前記カルボキシ（Ｃ1〜Ｃ3）アルキルセルロースエステルがカルボキシメチルセルロースエステルであり、且つアセチルのアンヒドログルコース単位当たりの置換度が１．３４〜２．０２である請求項１に記載のカルボキシ（Ｃ1〜Ｃ3）アルキルセルロースエステル。
【請求項１３】
前記カルボキシ（Ｃ1〜Ｃ3）アルキルセルロースエステルがカルボキシメチルセルロースエステルであり、且つアセチルのアンヒドログルコース単位当たりの置換度が２．６５〜３．２５である請求項１に記載のカルボキシ（Ｃ1〜Ｃ3）アルキルセルロースエステル。
【請求項１４】
前記カルボキシ（Ｃ1〜Ｃ3）アルキルセルロースエステルがＫＯＨ４０〜２００ｍｇ／ｇサンプルの酸価を有するカルボキシメチルセルロースエステルである請求項１に記載のカルボキシ（Ｃ1〜Ｃ3）アルキルセルロースエステル。
【請求項１５】
前記カルボキシ（Ｃ1〜Ｃ3）アルキルセルロースエステルがＫＯＨ４０〜７５ｍｇ／ｇサンプルの酸価を有するカルボキシメチルセルロースエステルである請求項１に記載のカルボキシ（Ｃ1〜Ｃ3）アルキルセルロースエステル。
【請求項１６】
前記カルボキシ（Ｃ1〜Ｃ3）アルキルセルロースエステルがＫＯＨ７５〜１０５ｍｇ／ｇサンプルの酸価を有するカルボキシメチルセルロースエステルである請求項１に記載のカルボキシ（Ｃ1〜Ｃ3）アルキルセルロースエステル。
【請求項１７】
前記カルボキシ（Ｃ1〜Ｃ3）アルキルセルロースエステルがＫＯＨ１０５〜２００ｍｇ／ｇサンプルの酸価を有するカルボキシメチルセルロースエステルである請求項１に記載のカルボキシ（Ｃ1〜Ｃ3）アルキルセルロースエステル。
【請求項１８】
前記ヒドロキシルのアンヒドログルコース単位当たりの置換度が０〜０．９０である請求項１に記載のカルボキシ（Ｃ1〜Ｃ3）アルキルセルロースエステル。
【請求項１９】
前記ヒドロキシルのアンヒドログルコース単位当たりの置換度が０．１〜０．９である請求項１に記載のカルボキシ（Ｃ1〜Ｃ3）アルキルセルロースエステル。
【請求項２０】
前記エステルがジイソブチルケトン中１０重量％混合物として透明な溶液を形成する請求項５に記載のカルボキシ（Ｃ1〜Ｃ3）アルキルセルロースエステル。
【請求項２１】
前記エステルがジイソブチルケトン中１０重量％混合物として透明な溶液を形成する請求項１５に記載のカルボキシ（Ｃ1〜Ｃ3）アルキルセルロースエステル。
【請求項２２】
前記エステルが７０／３０のトルエン／酢酸エチル混合物中１０重量％混合物として透明な溶液を形成する請求項５に記載のカルボキシ（Ｃ1〜Ｃ3）アルキルセルロースエステル。
【請求項２３】
前記エステルが７０／３０のトルエン／酢酸エチル混合物中１０重量％混合物として透明な溶液を形成する請求項１５に記載のカルボキシ（Ｃ1〜Ｃ3）アルキルセルロースエステル。
【請求項２４】
前記エステルがメチルアミルケトン中１０重量％混合物として透明な溶液を形成する請求項５に記載のカルボキシ（Ｃ1〜Ｃ3）アルキルセルロースエステル。
【請求項２５】
前記エステルがメチルアミルケトン中１０重量％混合物として透明な溶液を形成する請求項１５に記載のカルボキシ（Ｃ1〜Ｃ3）アルキルセルロースエステル。
【請求項２６】
前記エステルが酢酸エチル中１０重量％混合物として透明な溶液を形成する請求項５に記載のカルボキシ（Ｃ1〜Ｃ3）アルキルセルロースエステル。
【請求項２７】
前記エステルが酢酸エチル中１０重量％混合物として透明な溶液を形成する請求項１５に記載のカルボキシ（Ｃ1〜Ｃ3）アルキルセルロースエステル。
【請求項２８】
前記エステルがプロピオン酸ｎ−ブチル中１０重量％混合物として透明な溶液を形成する請求項５に記載のカルボキシ（Ｃ1〜Ｃ3）アルキルセルロースエステル。
【請求項２９】
前記エステルがプロピオン酸ｎ−ブチル中１０重量％混合物として透明な溶液を形成する請求項１５に記載のカルボキシ（Ｃ1〜Ｃ3）アルキルセルロースエステル。
【請求項３０】
前記エステルが酢酸ｎ−ブチル中１０重量％混合物として透明な溶液を形成する請求項５に記載のカルボキシ（Ｃ1〜Ｃ3）アルキルセルロースエステル。
【請求項３１】
前記エステルが酢酸ｎ−ブチル中１０重量％混合物として透明な溶液を形成する請求項１５に記載のカルボキシ（Ｃ1〜Ｃ3）アルキルセルロースエステル。
【請求項３２】
前記エステルがプロピオン酸ｎ−プロピル中１０重量％混合物として透明な溶液を形成する請求項５に記載のカルボキシ（Ｃ1〜Ｃ3）アルキルセルロースエステル。
【請求項３３】
前記エステルがプロピオン酸ｎ−プロピル中１０重量％混合物として透明な溶液を形成する請求項１５に記載のカルボキシ（Ｃ1〜Ｃ3）アルキルセルロースエステル。
【請求項３４】
前記エステルがプロピレングリコールモノプロピルエーテル中１０重量％混合物として透明な溶液を形成する請求項５に記載のカルボキシ（Ｃ1〜Ｃ3）アルキルセルロースエステル。
【請求項３５】
前記エステルがプロピレングリコールモノプロピルエーテル中１０重量％混合物として透明な溶液を形成する請求項１５に記載のカルボキシ（Ｃ1〜Ｃ3）アルキルセルロースエステル。
【請求項３６】
カルボキシ（Ｃ1〜Ｃ3）アルキルセルロースエステルがカルボキシメチルセルロースエステルである請求項１に記載のカルボキシ（Ｃ1〜Ｃ3）アルキルセルロースエステル。
【請求項３７】
ヒドロキシルのアンヒドログルコース単位当たりの置換度が０．１０〜０．９０であり、ブチリルの置換度が１．１０〜２．５５であり、且つアセチルの置換度が０．１０〜０．９０である請求項３６に記載のカルボキシメチルセルロースエステル。
【請求項３８】
ヒドロキシルのアンヒドログルコース単位当たりの置換度が０．１０〜０．９０であり、ブチリルの置換度が２．０４〜２．２２であり、且つアセチルの置換度が０．４２〜０．５９である請求項３６に記載のカルボキシメチルセルロースエステル。
【請求項３９】
前記インヘレント粘度が０．０７〜０．１３ｄＬ／ｇである請求項１に記載のカルボキシ（Ｃ1〜Ｃ3）アルキルセルロースエステル。
【請求項４０】
前記数平均分子量（Ｍn）が１，５００〜５，０００である請求項１に記載のカルボキシ（Ｃ1〜Ｃ3）アルキルセルロースエステル。
【請求項４１】
ヒドロキシルのアンヒドログルコース単位当たりの置換度が０．１０〜０．９０であり、ブチリルの置換度が１．１０〜２．５５であり、且つアセチルの置換度が０．１０〜０．９０である請求項３９に記載のカルボキシ（Ｃ1〜Ｃ3）アルキルセルロースエステル。
【請求項４２】
前記カルボキシ（Ｃ1〜Ｃ3）アルキルセルロースエステルが、プロピオニルのアンヒドログルコース単位当たりの置換度が０．０５〜３．３０、アセチルのアンヒドログルコース単位当たりの置換度が０〜２．００及びブチリルのアンヒドログルコース単位当たりの置換度が０〜１．００のカルボキシメチルセルロースアセテートプロピオネートである請求項１に記載のカルボキシ（Ｃ1〜Ｃ3）アルキルセルロースエステル。
【請求項４３】
ヒドロキシルのアンヒドログルコース単位当たりの置換度が０．１０〜０．９０であり且つアセチルの置換度が１．９５〜２．６８である請求項１８に記載のカルボキシメチルセルロースエステル。
【請求項４４】
ヒドロキシルのアンヒドログルコース単位当たりの置換度が０．１０〜０．９０であり且つアセチルの置換度が１．３４〜２．０２である請求項１８に記載のカルボキシメチルセルロースエステル。
【請求項４５】
前記インヘレント粘度が０．０７〜０．１３ｄＬ／ｇである請求項４４に記載のカルボキシ（Ｃ1〜Ｃ3）アルキルセルロースエステル。
【請求項４６】
前記数平均分子量（Ｍn）が１，５００〜５，０００である請求項４４に記載のカルボキシメチルセルロースアセテート。
【請求項４７】
ａ）被覆組成物中の成分（ａ）及び（ｂ）の総重量に基づき０．１〜５０重量％の、請求項１に記載のカルボキシ（Ｃ1〜Ｃ3）アルキルセルロースエステル；
ｂ）被覆組成物中の成分（ａ）及び（ｂ）の総重量に基づき５０〜９９．９重量％の、ポリエステル、ポリエステル−アミド、セルロースエステル、アルキド樹脂、ポリウレタン、エポキシ樹脂、ポリアミド、アクリル樹脂、ビニルポリマー、ポリイソシアネート及びメラミン樹脂からなる群から選ばれた少なくとも１種の樹脂；並びに
ｃ）少なくとも１種の溶剤
を含んでなり、成分（ａ）及び（ｂ）の総重量が成分（ａ）、（ｂ）及び（ｃ）の総重量の５〜８５重量％である被覆組成物。
【請求項４８】
組成物の総重量に基づき０．１〜１５重量％のレベリング、レオロジー及び流れ調整剤；艶消し剤；顔料湿潤及び分散剤；界面活性剤；紫外線（ＵＶ）吸収剤；紫外線安定剤；着色用顔料；脱泡剤及び消泡剤；沈澱防止、垂れ防止及び粘度付与剤；皮張り防止剤；浮き色防止及び色別れ防止剤；殺真菌剤及びカビ駆除剤；腐蝕防止剤；増粘剤；又は融合助剤からなる群から選ばれた１種又はそれ以上の被覆用添加剤を更に含む請求項４７に記載の被覆組成物。
【請求項４９】
前記カルボキシアルキルセルロースエステルのインヘレント粘度が０．０７〜０．１１ｄＬ／ｇである請求項４７に記載の被覆組成物。
【請求項５０】
ａ）被覆組成物中の成分（ａ）及び（ｂ）の総重量に基づき０．１〜５０重量％の請求項３７に記載のカルボキシアルキルセルロースエステル；
ｂ）被覆組成物中の成分（ａ）及び（ｂ）の総重量に基づき５０〜９９．９重量％の、ポリエステル、ポリエステル−アミド、セルロースエステル、アルキド樹脂、ポリウレタン、エポキシ樹脂、ポリアミド、アクリル樹脂、ビニルポリマー、ポリイソシアネート及びメラミン樹脂からなる群から選ばれた少なくとも１種の樹脂；並びに
ｃ）少なくとも１種の溶剤
を含んでなり、成分（ａ）及び（ｂ）の総重量が成分（ａ）、（ｂ）及び（ｃ）の総重量の５〜８５重量％である被覆組成物。
【請求項５１】
組成物の総重量に基づき０．１〜１５重量％のレベリング、レオロジー及び流れ調整剤；艶消し剤；顔料湿潤及び分散剤；界面活性剤；紫外線（ＵＶ）吸収剤；紫外線安定剤；着色用顔料；脱泡剤及び消泡剤；沈澱防止、垂れ防止及び粘度付与剤；皮張り防止剤；浮き色防止及び色別れ防止剤；殺真菌剤及びカビ駆除剤；腐蝕防止剤；増粘剤；又は融合助剤からなる群から選ばれた１種又はそれ以上の被覆用添加剤を更に含む請求項５０に記載の被覆組成物。
【請求項５２】
前記セルロースエステルのインヘレント粘度が０．０７〜０．１１ｄＬ／ｇである請求項５０に記載の被覆組成物。
【請求項５３】
請求項７に記載の組成物が被覆された造形品又は成形品。
【請求項５４】
請求項５０に記載の組成物が被覆された造形品又は成形品。
【請求項５５】
請求項１に記載のカルボキシ（Ｃ1〜Ｃ3）アルキルセルロースエステル；及び
２０〜５０重量％の顔料
を含んでなる顔料分散体。
【請求項５６】
前記顔料がアルミナ又はマイカである請求項５５に記載の顔料分散体。
【請求項５７】
請求項１に記載のカルボキシ（Ｃ1〜Ｃ3）アルキルセルロースエステルを含む放射線硬化性被覆。
【請求項５８】
請求項３７に記載のカルボキシ（Ｃ1〜Ｃ3）アルキルセルロースエステルを含む放射線硬化性被覆。
【請求項５９】
請求項１に記載のカルボキシ（Ｃ1〜Ｃ3）アルキルセルロースエステルを含む粉体被覆。
【請求項６０】
請求項３７に記載のカルボキシメチルセルロースエステルを含む粉体被覆。
【請求項６１】
請求項１に記載のカルボキシ（Ｃ1〜Ｃ3）アルキルセルロースエステルを含むインキ組成物。
【請求項６２】
請求項３７に記載のカルボキシメチルセルロースエステルを含むインキ組成物。
【請求項６３】
成分（ａ）（ａ）及び（ｂ）の総重量に基づき０．１〜５０重量％の請求項１に記載の、カルボキシル基の少なくも２５％がアンモニア又はアミンで中和されている、カルボキシ（Ｃ1〜Ｃ3）アルキルセルロースエステル；
（ｂ）成分（ａ）及び（ｂ）の総重量に基づき少なくとも５０重量％のポリエステル、ポリエステル−アミド、セルロースエステル、アルキド樹脂、ポリウレタン、エポキシ樹脂、ポリアミド、アクリル樹脂、ビニルポリマー、ポリウレタン及びメラミン樹脂からなる群から選ばれた相溶性の水溶性又は水分散性樹脂；
（ｃ）水；並びに
（ｄ）有機溶剤
を含んでなり、成分（ａ）及び（ｂ）の総重量が総組成物の５〜５０重量％であり且つ有機溶剤は組成物の総重量の２０重量％未満を構成する水性被覆組成物。
【請求項６４】
（ａ）成分（ａ）及び（ｂ）の総重量に基づき０．１〜５０重量％の、カルボキシル基の少なくとも２５％がアンモニア又はアミンで中和されている、請求項３７に記載のカルボキシメチルセルロースエステル
（ｂ）成分（ａ）及び（ｂ）の総重量に基づき少なくとも５０重量％の、ポリエステル、ポリエステル−アミド、セルロースエステル、アルキド樹脂、ポリウレタン、エポキシ樹脂、ポリアミド、アクリル樹脂、ビニルポリマー、ポリウレタン及びメラミン樹脂からなる群から選ばれた相溶性の水溶性又は水分散性樹脂；
（ｃ）水；並びに
（ｄ）有機溶剤
を含んでなり、成分（ａ）及び（ｂ）の総重量が総組成物の５〜５０重量％であり且つ有機溶剤が組成物の総重量の２０重量％未満を構成する水性被覆組成物。